(57)【要約】【課題】  利用客の指が直接触れる構造のエレベータの登録ボタンでは、公共施設のエレベータにおいて、利用客が不快な思いをすることがある。【解決手段】  ボタンパネル２には開口３が設けられている。ボタンパネル２の後方には非接触式の距離センサ４が設けられており、この距離センサ４から射出されたレーザー光Ｌ１は開口３を通り、利用客の指Ｆに当たると反射し、開口３を通って距離センサ４に戻る。これにより、利用客の指先Ｆがボタンパネル２の前方から所定距離離間した位置に到達したことが認識され、かご呼び等の登録がなされる。【選択図】      図２
2005263378.tif 000002
【特許請求の範囲】
【請求項１】
登録ボタン本体と、この登録ボタン本体から離間した所定位置に利用客の指先が到達したことを検知する非接触式の検知手段と、を具備することを特徴とするエレベータの登録ボタン。
【請求項２】
前記検知手段は、利用客の指先が前記登録ボタン本体に対して所定距離以内に接近したことを検知する距離センサであることを特徴とする請求項１記載のエレベータの登録ボタン。
【請求項３】
前記検知手段は、利用客の指先の温度を検知する温度センサ又は利用客の指先を光線の遮断により検知する光電管であることを特徴とする請求項１記載のエレベータの登録ボタン。
【請求項４】
かご呼び登録ボタン又は行先階登録ボタンであることを特徴とする請求項１〜請求項３のいずれか一項記載のエレベータの登録ボタン。
【発明の詳細な説明】
【技術分野】
【０００１】
本発明は、エレベータの乗り場やかご内において、利用客が行先階やかご呼び等を登録するための登録ボタンに関する。
【背景技術】
【０００２】
図８は従来のかご呼び登録ボタンを備えた乗り場操作盤の一例の正面図、図９は図８のＤ−Ｄ線断面図である。
【０００３】
エレベータの利用客の指先Ｆがボタンパネル１０２を押圧すると、その後方に配置されたスイッチ１０３が動作し、登録情報が配線１０４を介して制御盤（図示せず）に伝達されるようになっている。
【０００４】
このように、従来の登録ボタンは、利用客の指Ｆが直接ボタンパネル１０２に触れる構造であるため、公共施設に設置されたエレベータの場合、異物の付着等公衆衛生の観点から利用客が不快な思いをすることがある。
【発明の開示】
【発明が解決しようとする課題】
【０００５】
解決しようとする問題点は、利用客の指が直接触れる構造のエレベータの登録ボタンでは、公共施設のエレベータにおいて、利用客が不快な思いをすることがある点である。
【課題を解決するための手段】
【０００６】
上記課題を解決するために、本発明のエレベータの登録ボタンは、登録ボタン本体と、この登録ボタン本体から離間した所定位置に利用客の指先が到達したことを検知する非接触式の検知手段と、を具備することを特徴としている。
【発明の効果】
【０００７】
本発明のエレベータの登録ボタンは、利用客の指が直接触れることなくかご呼びや行先階等の登録が行われるので、公共施設に設置されたエレベータに装備した場合でも利用客が不快な思いをすることがない。
【発明を実施するための最良の形態】
【０００８】
以下、本発明の一実施形態を図面に基づいて説明する。
【０００９】
図１は本発明の第１の実施形態のかご呼び登録ボタンを装備した乗り場操作盤の正面図、図２は図１のＡ−Ａ線断面図である。
【００１０】
図１において、１はかご呼び登録ボタンで、金属等により形成された登録ボタン本体としてのボタンパネル２を備え、その表面には行先方向（上又は下）を表す矢印が形成されている。また、ボタンパネル２には前後方向に貫通する開口３が形成されている。
【００１１】
図２に示すように、ボタンパネル２の後方には非接触式の検知手段としての距離センサ４が設けられている。この距離センサ４は、レーザー光Ｌ１を射出して被測定物との距離を測定するように構成されている。
【００１２】
距離センサ４とボタンパネル２の間にはレンズ５が設けられており、距離センサ４が射出したレーザ光Ｌ１はレンズ５を透過して開口３を通り、ボタンパネル２の前方に位置する利用客Ｆの指先Ｆに当たって反射し、開口３及びレンズ５を通って距離センサ４に戻る。
【００１３】
このような構成によれば、利用客の指先Ｆがボタンパネル２の前面から前方に所定距離離間した位置に到達すると、距離センサ４がそれを認識し、配線６を介して制御盤に送信し、かご呼び登録がなされる。
【００１４】
このように、利用客の指先Ｆが直接ボタンパネル２に触れることなく登録が行われるので、公共施設に設置されたエレベータに装備した場合でも利用客が不快な思いをすることがない。
【００１５】
次に、本発明の第２の実施形態を説明する。図３は本発明の第２の実施形態のかご呼び登録ボタンを装備した乗り場操作盤の正面図、図４は図３のＢ−Ｂ線断面図である。なお、以下の各実施形態において、第１の実施形態と同一又は類似の部分には同一の符号を用いており、重複する説明は省略してある。
【００１６】
本実施形態のかご呼び登録ボタン７では、非接触式の検知手段として、利用客の指先Ｆの温度を測定する温度センサ８が用いられている。この温度センサ８は、赤外線Ｌ２を射出して被測定物の温度を検知するように構成されている。
【００１７】
温度センサ８が射出した赤外線Ｌ２はレンズ５を透過して開口３の中心を通り、ボタンパネル２の前方に位置する利用客の指先Ｆに当たって反射し、開口３及びレンズ５を通って温度センサ８に戻る。
【００１８】
このような構成によれば、利用客Ｆの指先Ｆがボタンパネル２の前面から前方に所定距離離間した位置に到達すると、温度センサ８がそれを認識し、配線６を介して制御盤に送信し、かご呼び登録がなされる。
【００１９】
このように、利用客の指先Ｆが直接ボタンパネル２に触れることなく登録が行われるので、公共施設に設置されたエレベータに装備した場合でも利用客が不快な思いをすることがない。
【００２０】
次に、本発明の第３の実施形態を説明する。図５は本発明の第３の実施形態のかご呼び登録ボタンを装備した乗り場操作盤の正面図、図６は図５のＣ−Ｃ線断面図である。
【００２１】
本実施形態のかご呼び登録ボタン９では、非接触式の検知手段として、利用客の指先を光線の遮断により検知する光電管が用いられている。
【００２２】
ボタンパネル２は前面が開口した箱形に形成され、後壁内面には、行先方向を表す矢印が形成されている。また、図６に示すように、ボタンパネル２の上壁と底壁には上下方向に貫通する開口１０が形成されている。
【００２３】
ボタンパネル２の上下には非接触式の検知手段としての光電管１１が設けられており、各光電管１１とボタンパネル２の間にはレンズ５が設けられている。光電管１１、１１間の光線Ｌ３はレンズ５、５及び開口１０、１０を通ってボタンパネル２内を縦断している。
【００２４】
このような構成によれば、利用客の指先Ｆがボタンパネル２の後壁内面から前方に所定距離離間した位置に到達すると、指先Ｆにより光線Ｌ３が遮断され、これが配線６を介して制御盤に送信され、かご呼び登録がなされる。
【００２５】
このように、利用客の指先Ｆが直接ボタンパネル２に触れることなく登録が行われるので、公共施設に設置されたエレベータに装備した場合でも利用客が不快な思いをすることがない。
【００２６】
なお、本発明は、乗り場操作盤のかご呼び登録ボタンだけでなく、例えば図７に示すような、かご内操作盤の行先階登録ボタン１２やドア開閉ボタン１３等にも適用することができる。また、これらのボタン以外にも、従来のエレベータにおいて、利用客が押圧することにより動作するボタン類の全てに適用可能である。
【００２７】
その他にも、本発明の要旨を逸脱しない範囲で上記実施形態に種々の改変を施すことができる。
【図面の簡単な説明】
【００２８】
【図１】本発明の第１の実施形態のかご呼び登録ボタンを装備した乗り場操作盤の正面図。
【図２】図１のＡ−Ａ線断面図。
【図３】本発明の第２の実施形態のかご呼び登録ボタンを装備した乗り場操作盤の正面図。
【図４】図３のＢ−Ｂ線断面図。
【図５】本発明の第３の実施形態のかご呼び登録ボタンを装備した乗り場操作盤の正面図。
【図６】図５のＣ−Ｃ線断面図。
【図７】かご内操作盤の一例の正面図。
【図８】従来のかご呼び登録ボタンを備えた乗り場操作盤の一例の正面図。
【図９】図８のＤ−Ｄ線断面図。
【符号の説明】
【００２９】
１  かご呼び登録ボタン（登録ボタン）
２  ボタンパネル（登録ボタン本体）
４  距離センサ（検知手段）
７  かご呼び登録ボタン（登録ボタン）
８  温度センサ（検知手段）
１１  光電管（検知手段）
【図１】
2005263378.tif 000003
【図２】
2005263378.tif 000004
【図３】
2005263378.tif 000005
【図４】
2005263378.tif 000006
【図５】
2005263378.tif 000007
【図６】
2005263378.tif 000008
【図７】
2005263378.tif 000009
【図８】
2005263378.tif 000010
【図９】
2005263378.tif 000011